(57)【特許請求の範囲】
【請求項１】
両端部にそれぞれかご及び釣り合い重りを吊り下げた状態のロープの全長を測定するときに用いられるロープ長さ測定治具であって、一体化された一対の第１及び第２の巻き尺と、この第１及び第２の巻き尺のそれぞれの測定目盛帯を摺動自在に束ねるリングと、両巻き尺を支持する固定台とを備え、前記第１の巻き尺の測定目盛帯は前記リングを介して前記ロープに沿って前記かごに達し、前記第２の巻き尺の測定目盛帯は前記リングを介して前記ロープに沿って前記釣り合い重りに達するようになっており、
前記第１の巻き尺の測定目盛帯の先端部には、前記かごのシャックル軸を掴むクリップとこのクリップに固定された金具とからなる第１のロープ固定具が取り付けられ、
前記第１の巻き尺の測定目盛帯を引っ張ることで、かごのシャックルに前記金具が当接し、前記金具を支点として前記クリップが強制的に回動されて前記かごの前記シャックル軸から取り外されるようになっており、
前記第２の巻き尺の測定目盛帯の先端部には、前記釣り合い重りのシャックル軸を掴むクリップとこのクリップに固定された金具とからなる第２のロープ固定具が取り付けられ、
前記第２の巻き尺の測定目盛帯を引っ張ることで、前記釣り合い重りのシャックルに前記金具が当接し、前記金具を支点として前記クリップが強制的に回動されて前記釣り合い重りのシャックル軸から取り外されるようになっている
ロープ長さ測定治具。
【請求項２】
固定台の底面には磁石が固定されている請求項１に記載のロープ長さ測定治具。
【請求項３】
下端にかごを吊り下げたロープの長さを測定するときに用いられるロープ固定具であって、巻き尺の測定目盛帯の一端部が取り付けられるとともに前記かごのシャックル軸を掴むクリップと、このクリップに固定された金具とから構成され、
前記巻き尺の前記測定目盛帯を引っ張ることで、前記かごのシャックル軸に前記金具が当接し、前記金具を支点として前記クリップが強制的に回動されて前記かごの前記シャックル軸から取り外されるようになっているロープ固定具。
【発明の詳細な説明】
【０００１】
【発明の属する技術分野】
この発明は、エレベータのかご等に取り付けられた吊り下げ状態のロープ長さを測定するロープ長さ測定治具及びロープ固定具に関するものである。
【０００２】
【従来の技術】
図７は特開平６ー１８５９２２号公報に記載されたエレベータの昇降路断面概略図である。図１において、昇降路６を上下動する第１の質量体としてのエレベータのかご２の巻き上げロープ８は、機械室１の綱車３及びそらせ車４を介して第２の質量体である釣り合い重り７に接続され、このかご２と釣り合い重り７とはバランスをとった状態で保持されている。また、巻き尺１１の測定目盛帯１２の下端部には、巻き上げロープ８が貫通した摺動具１３が取り付けられている。
【０００３】
図８及び図９は、この摺動具１３の斜視図、図１０は図８の摺動具の横断面図であり、この摺動具１３は、欠円形状の筒体５０と、この筒体５０の外周のネジ部５１に螺合した欠円形状のナット５２と、筒体５０の端部に取り付けられ測定目盛帯１２の端部が接続されたフック５３と、ネジ部５１に螺着されたストッパ５４とを備えている。
【０００４】
上記構成のエレベータでは、次の手順に従って巻き上げロープ８の長さを測定する。先ず、機械室１からかご２までの巻き上げロープ８の長さを測定する場合、機械室１で摺動具１３の筒体５０の切欠き部５０Ａとナット５２の切欠き部５２Ａとを図８に示すように軸線上に一致させ、巻き上げロープ８を摺動具１３の内部に押し込む。次に、ナット５２を周回して図９に示すように巻き上げロープ８が摺動具１３から離脱しないようにセットする。その後、フック５３に測定目盛帯１２の一端部を接続し、この摺動具１３を巻き上げロープ８に沿ってかご２まで到達させ、この状態で巻き尺１１を巻いて測定目盛帯１２を緊張させて測定目盛帯１２の目盛りを読み、綱車３とかご２との間の寸法Ａを測定する。
同様に、そらせ車４と釣り合い重り７との間の寸法Ｂを測定する。
さらに、機械室１内で作業者は巻き尺１１を用いて綱車３とそらせ車４との間の寸法Ｃを測定する。そして、最後に上記Ａ、Ｂ及びＣの寸法を加算することで巻き上げロープ８の全長が分かる。
【０００５】
【発明が解決しようとする課題】
上記のように、巻き上げロープ８の長さを測定する場合、巻き上げロープ８を３分割してそれぞれの長さを測定しており、各区切り位置に目印をする必要性があり、また巻き尺１１の巻きだし、巻き取り作業が３回あり、測定が面倒であり、また多くの時間を要してしまうという問題点があった。
【０００６】
この発明は、以上のような問題点を解決することを課題とするものであって、一回の測定で簡単にロープの全長を測定できるロープ長さ測定治具を提供することを目的とする。
また、かごのシャックル軸からの取り外しが簡単なロープ固定具を提供することを目的とする。
【０００７】
【課題を解決するための手段】
この発明に係るロープ測定治具は、一体化された一対の第１及び第２の巻き尺と、この第１及び第２の巻き尺のそれぞれの測定目盛帯を摺動自在に束ねるリングと、両巻き尺を支持する固定台とを備え、前記第１の巻き尺の測定目盛帯は前記リングを介してロープに沿ってかごに達し、前記第２の巻き尺の測定目盛帯は前記リングを介して前記ロープに沿って釣り合い重りに達するようになっており、前記第１の巻き尺の測定目盛帯の先端部には、前記かごのシャックル軸を掴むクリップとこのクリップに固定された金具とからなる第１のロープ固定具が取り付けられ、前記第１の巻き尺の測定目盛帯を引っ張ることで、かごのシャックルに前記金具が当接し、前記金具を支点として前記クリップが強制的に回動されて前記かごの前記シャックル軸から取り外されるようになっており、前記第２の巻き尺の測定目盛帯の先端部には、釣り合い重りのシャックル軸を掴むクリップとこのクリップに固定された金具とからなる第２のロープ固定具が取り付けられ、前記第２の巻き尺の測定目盛帯を引っ張ることで、前記釣り合い重りのシャックルに前記金具が当接し、前記金具を支点として前記クリップが強制的に回動されて前記釣り合い重りのシャックル軸から取り外されるようになっている。
【０００８】
この発明に係るロープ長さ測定治具では、固定台の底面に磁石が固定されている。
【０００９】
この発明に係るロープ固定具は、巻き尺の測定目盛帯の一端部が取り付けられるとともにかごのシャックル軸を掴むクリップと、このクリップに固定された金具とから構成され、前記巻き尺の前記測定目盛帯を引っ張ることで、前記かごのシャックル軸に前記金具が当接し、前記金具を支点として前記クリップが強制的に回動されて前記かごの前記シャックル軸から取り外されるようになっている。
【００１０】
【発明の実施の形態】
参考例１．
図１及び図２はこの発明の参考例１のエレベータの昇降路断面概略図である。
図１及び２において、昇降路６を上下動する第１の質量体としてのエレベータのかご２の巻き上げロープ８は、機械室１の綱車３及びそらせ車４を介して第２の質量体である釣り合い重り７に接続され、このかご２と釣り合い重り７とはバランスをとった状態で保持されている。
【００１１】
図３及び図４は、巻き上げロープ８の全長を測定するためのロープ長さ測定治具２０を示すもので、このロープ長さ測定治具２０は、固定金具１４で一体化された一対の第１及び第２の巻き尺１１ａ、１１ｂと、両巻き尺１１ａ、１１ｂの測定目盛帯１２ａ、１２ｂを摺動自在に束ねるリング１８と、両巻き尺１１ａ、１１ｂを支持する固定台１５と、この固定台１５の底面に固定された磁石１６と、両巻き尺１１ａ、１１ｂの各先端部に取り付けられた第１及び第２の摺動具１３ａ、１３ｂとを備えている。摺動具１３ａ、１３ｂは図８ないし図１０に示したものと同一であり、その説明は省略する。
【００１２】
上記構成のエレベータでは、次の手順に従って巻き上げロープ８の長さを測定する。先ず、ロープ長さ測定治具２０を機械台５に磁石１６を介して固定する。その後、先に説明したと同様の手順に従って摺動具１３ａ、１３ｂを巻き上げロープ８に離脱しないようにセットし、また摺動具１３ａ、１３ｂのフック５３に測定目盛帯１２ａ、１２ｂの一端部を接続する。その後、この摺動具１３ａを巻き上げロープ８に沿ってかご２のシャックル９ａに当接させる。同様に、この摺動具１３ｂを巻き上げロープ８に沿って釣り合い重り７のシャックル９ｂに当接させる。図１はこのときの状態図である。
【００１３】
次に、作業者はリング１８を掴み上げて測定目盛帯１２ａを綱車３に巻き掛けし、また測定目盛帯１２ｂをそらせ車４に巻き掛けする。図２はこのときの状態図である。なお、摺動具１３ａ，１３ｂはリング１８を持ち上げたときに動かないだけの十分な重さを有している。
この後、この状態で巻き尺１１ａ、１１ｂを巻いて測定目盛帯１２ａ、１２ｂを緊張させて測定目盛帯１２ａ、１２ｂの目盛りを読み、二つの目盛りの値を合計することで巻き上げロープ８の全長が分かる。
【００１４】
このように、上記ロープ長さ測定治具２０を用いることで、かご２と釣り合い重り７との間の巻き上げロープ８の全長を一度に測定することができ、測定作業性が大幅に向上する。
また、ロープ長さ測定治具２０は磁石１６により機械台５に吸着されており、測定中に測定治具２０を作業者が支える必要性がない。
【００１５】
実施の形態１．
図５はこの発明の実施の形態１のロープ固定具３０の斜視図、図６は図５のロープ固定具３０を用いてエレベータのロープ長さを測定する様子を示す図である。
このロープ固定具３０は、クリップ１７と、このクリップ１７にビス止めされたＬ型金具６０とを備えている。クリップ１７には、孔６１が形成されており、この孔６１に貫通したピン（図示せず）に測定目盛帯１２の下端部が接続されるようになっている。
【００１６】
参考例１では、巻き上げロープ８に対して摺動自在の摺動具１３を用いていたが、この実施の形態１では、シャックル軸６２を掴むクリップ１７を用いている点が異なる。他の構成は参考例１と同じであり、巻き上げロープ８の全長の測定は、ロープ長さ測定治具２０を用いて、参考例１と同様の手順で行われる。測定後には、図６において測定目盛帯１２を矢印Ｄの方向に引っ張ると、Ｌ型金具６０の上端面が支点となってロープ固定具３０は矢印Ｅの方向に回動し、巻き上げロープ８から簡単にロープ固定具３０は取り外される。
なお、巻き上げロープ８の全長の測定方法は、従来例で述べた方法であってもよい。
なお、上記の参考例及び実施の形態では、第１の質量体はエレベータのかごであり、第２の質量体は釣り合い重りであるが、この発明はこのものに限定されるものではなく、他の質量体をロープで吊る場合でも適用することができる。
【００１７】
【発明の効果】
以上説明したように、この発明に係るロープ長さ測定治具によれば、一体化された一対の第１及び第２の巻き尺と、この第１及び第２の巻き尺のそれぞれの測定目盛帯を摺動自在に束ねるリングと、両巻き尺を支持する固定台とを備え、前記第１の巻き尺の測定目盛帯は前記リングを介して前記ロープに沿ってかごに達し、前記第２の巻き尺の測定目盛帯は前記リングを介してロープに沿って釣り合い重りに達するようになっており、前記第１の巻き尺の測定目盛帯の先端部には、前記かごのシャックル軸を掴むクリップとこのクリップに固定された金具とからなる第１のロープ固定具が取り付けられ、前記第１の巻き尺の測定目盛帯を引っ張ることで、かごのシャックルに前記金具が当接し、前記金具を支点として前記クリップが強制的に回動されて前記かごの前記シャックル軸から取り外されるようになっており、前記第２の巻き尺の測定目盛帯の先端部には、釣り合い重りのシャックル軸を掴むクリップとこのクリップに固定された金具とからなる第２のロープ固定具が取り付けられ、前記第２の巻き尺の測定目盛帯を引っ張ることで、前記釣り合い重りのシャックルに前記金具が当接し、前記金具を支点として前記クリップが強制的に回動されて前記釣り合い重りのシャックル軸から取り外されるようになっているので、前記かごと前記釣り合い重りとの間のロープの長さを一度に測定することができ、ロープの長さ測定の作業性が大幅に向上する。
【００１８】
また、この発明に係るロープ長さ測定治具によれば、固定台の底面に磁石が固定されているので、固定台は所定の位置に確実に固定され、固定台を支えるための作業員が不要となる。
【００１９】
また、この発明に係るロープ固定具によれば、巻き尺の測定目盛帯の一端部が取り付けられるとともにかごのシャックル軸を掴むクリップと、このクリップに固定された金具とから構成され、巻き尺の前記測定目盛帯を引っ張ることで、かごのシャックル軸に前記金具が当接し、前記金具を支点として前記クリップが強制的に回動されて前記かごの前記シャックル軸から取り外されるようになっているので、かごのシャックル軸からロープ固定具を簡単に取り外すことができ、ロープの長さ測定の作業性が大幅に向上する。
【図面の簡単な説明】
【図１】  この発明の参考例１に係るエレベータのロープ長さを測定する様子を示す概略断面図である。
【図２】  この発明の参考例１に係るエレベータのロープ長さを測定する様子を示す概略断面図である。
【図３】  図１のロープ長さ測定治具の正面図である。
【図４】  図３のロープ長さ測定治具の側面図である。
【図５】  この発明の実施の形態１のロープ固定具の斜視図である。
【図６】  図５のロープ固定具を用いてエレベータのロープ長さを測定する様子を示す図である。
【図７】  従来のエレベータのロープ長さを測定する様子を示す概略断面図である。
【図８】  図７の摺動具の斜視図である。
【図９】  図７の摺動具の別の使用態様を示す斜視図である。
【図１０】  図８の摺動具の横断面図である。
【符号の説明】
２  かご、３  綱車、４  そらせ車、７  釣り合い重り、８  巻き上げロープ、９ａ、９ｂ  シャックル、１１ａ  第１の巻き尺、１１ｂ  第２の巻き尺、１２ａ，１２ｂ  測定目盛帯、１３ａ，１３ｂ  摺動具、１５  固定台、１６  磁石、１７  クランプ、１８  リング、２０  ロープ長さ測定治具、３０  ロープ固定具、６０  Ｌ型金具、６２  シャックル軸。
【図１】
0003853131.tif 000002
【図２】
0003853131.tif 000003
【図３】
0003853131.tif 000004
【図４】
0003853131.tif 000005
【図５】
0003853131.tif 000006
【図６】
0003853131.tif 000007
【図７】
0003853131.tif 000008
【図８】
0003853131.tif 000009
【図９】
0003853131.tif 000010
【図１０】
0003853131.tif 000011